(57)【要約】【課題】入浴用車椅子の座部を簡素な構成にすること、又、入浴者を入浴用車椅子を用いて容易に入浴介助できる座部付入浴用車椅子を提供すること。【解決手段】左側又は右側から乗降する入浴用車椅子（５）において、入浴者が入浴用車椅子（５）に移乗し易い座部（２）が、入浴用車椅子（５）の左右方向に移動する座部（５）、又は入浴用車椅子（５）の載置部（１６）の前方回動と同時に前傾する座部（２）であり、入浴用車椅子（５）への移乗及びセッティングを行い易く、座部（２）が、入浴用車椅子（５）の臀部受け（１８）に設けられる円形の座部（２）に、カバー（２０）を被せて構成されるカバー式座部（３）であり、前記カバー（２０）はカバー式座部（３）上で回動容易であって該カバー（２０）に座した入浴者が容易に回動できる座部付入浴用車椅子である。【選択図】      図１
2005224325.tif 000002
【特許請求の範囲】
【請求項１】
左側又は右側から乗降する入浴用車椅子（５）において、入浴者が入浴用車椅子（５）に移乗し易い座部（２）が、入浴者の移乗時に、入浴用車椅子（５）の左右方向に移動する座部（２）、又は入浴用車椅子（５）の前方向に前傾する座部（２）であり、入浴用車椅子（５）への移乗及びセッティングを行い易い座部付入浴用車椅子。
【請求項２】
座部（２）が、入浴用車椅子（５）の臀部受け（１８）に設けられる円形の座部（２）に、カバー（２０）を被せて構成されるカバー式座部（３）であり、
前記カバー（２０）はカバー式座部（３）上で移動容易であって該カバー（２０）に座した入浴者が容易に移動できることを特徴とする請求項１記載の座部付入浴用車椅子。
【請求項３】
座部（２）は、入浴用車椅子（５）の臀部受け（１８）に左右方向に設けられるレール（４６）に、座部（２）の取付部分（４７）を取着して構成される引出式座部（４５）であり、該引出式座部（４５）は、左方向又は右方向に引き出した位置で錠止でき、又、元位置に押し込み収納した位置で錠止できることを特徴とする請求項１記載の座部付入浴用車椅子。
【請求項４】
座部（２）は、入浴用車椅子（５）の臀部受け（１８）に設けられる縦軸部（５３）に、一端部が軸支され水平方向に移動できる振り式座部（５２）であり、
該振り式座部（５２）は、縦軸部（５３）を中心に左右方向へ振ることができると共に任意の位置で錠止できることを特徴とする請求項１記載の座部付入浴用車椅子。
【請求項５】
座部（２）は、入浴用車椅子（５）の臀部受け（１８）に設けられる座部（２）に、無端ベルト（５７）を左右方向に可動に掛け回して構成されるベルト式座部（５６）であり、該ベルト式座部（５６）は入浴用車椅子（５）の左方向又は右方向へ、座部（２）に対して低摩擦抵抗に摺動できることを特徴とする請求項１記載の座部付入浴用車椅子。
【請求項６】
座部（２）は、入浴用車椅子（５）の臀部受け（１８）に水平左右方向に設けられる溝体（６０）に、取付下部（６１）が嵌ってなるスライド式座部（５９）であり、該スライド式座部（５９）は回動自在であり且つ左右方向へ移動自在であることを特徴とする請求項１記載の座部付入浴用車椅子。
【請求項７】
座部（２）は、台車部（１５）に載置部（１６）が載置されてなる入浴用車椅子（５）において、前記載置部（１６）の臀部受け（１８）に設けられた前傾座部（６２）であり、台車部（１５）の前支持柱（２６）に臀部受け（１８）の前部（１８ａ）が前軸（６４）で軸支され、台車部（１５）の後支持柱（２７）に臀部受け（１８）の後部（１８ｂ）が後軸（２８）で軸支され、入浴者が移乗する時には、載置部（１６）を前記前軸（６４）を中心に前傾方向に回動させ、後部（１８ｂ）を後支持柱（２７）から離間させ、載置部（１６）の足受け（１７）を水平に位置させ、入浴者は床（６５）から足受け（１７）に移り該足受け（１７）に立ってから前傾座部（６２）に腰を降ろし、又、入浴者が入浴用車椅子（５）から離れる時には腰を上げて水平に位置する足受け（１７）に立ってから床（６５）へ移ることを特徴とする請求項１記載の座部付入浴用車椅子。
【発明の詳細な説明】
【技術分野】
【０００１】
本発明は、介護を必要とする人の入浴時に使用される座部付入浴用車椅子に関する。
【背景技術】
【０００２】
従来の技術には、手押し式車椅子の本体枠上に座部を水平回動可能でかつ任意の回転位置で固定可能に取付け、該座部が任意の回転位置で固定された状態で手押し走行可能である回転座部介護用車椅子が開示されている。
【０００３】
従来の技術に係る車椅子の幅方向の中央に設けられる座部にあっては、もっと簡素な構成で安価なものが望まれていた。又、入浴者を車椅子の左側又は右側から座部へ移乗させる介助を、介助者が楽に行なう為に、車椅子の幅方向に移動する座部が望まれていた。
【特許文献１】特開平１１−２２１２５３号公報
【発明の開示】
【発明が解決しようとする課題】
【０００４】
解決しようとする問題点は、入浴者を腰掛けさせる入浴用車椅子の座部の構成が簡素でなかった点である。又、介助者には、入浴者を入浴用車椅子へ腰掛けさせる介助作業に多くの労力が必要であった点である。
【課題を解決するための手段】
【０００５】
本発明の目的は、上記要望に応えたものであり、入浴用車椅子の座部を簡素な構成にすること、又、入浴者を入浴用車椅子を用いて容易に入浴介助できる座部付入浴用車椅子を提供することである。
即ち本発明は、左側又は右側から乗降する入浴用車椅子（５）において、入浴者が入浴用車椅子（５）に移乗し易い座部（２）が、入浴者の移乗時に、入浴用車椅子（５）の左右方向に移動する座部（２）、又は入浴用車椅子（５）の前方向に前傾する座部（２）であり、入浴用車椅子（５）への移乗及びセッティングを行い易い座部付入浴用車椅子である。
又、座部（２）が、入浴用車椅子（５）の臀部受け（１８）に設けられる円形の座部（２）に、カバー（２０）を被せて構成されるカバー式座部（３）であり、前記カバー（２０）はカバー式座部（３）上で移動容易であって該カバー（２０）に座した入浴者が容易に移動できる。
或いは、座部（２）は、入浴用車椅子（５）の臀部受け（１８）に左右方向に設けられるレール（４６）に、座部（２）の取付部分（４７）を取着して構成される引出式座部（４５）であり、該引出式座部（４５）は、左方向又は右方向に引き出した位置で錠止でき、又、元位置に押し込み収納した位置で錠止できる。
或いは又、座部（２）は、入浴用車椅子（５）の臀部受け（１８）に設けられる縦軸部（５３）に、一端部が軸支され水平方向に移動できる振り式座部（５２）であり、該振り式座部（５２）は、縦軸部（５３）を中心に左右方向へ振ることができると共に任意の位置で錠止できる。
或いは更に、座部（２）は、入浴用車椅子（５）の臀部受け（１８）に設けられる座部（２）に、無端ベルト（５７）を左右方向に可動に掛け回して構成されるベルト式座部（５６）であり、該ベルト式座部（５６）は入浴用車椅子（５）の左方向又は右方向へ、座部（２）に対して低摩擦抵抗に摺動できる。
或いは、座部（２）は、入浴用車椅子（５）の臀部受け（１８）に水平左右方向に設けられる溝体（６０）に、取付下部（６１）が嵌ってなるスライド式座部（５９）であり、該スライド式座部（５９）は回動自在であり且つ左右方向へ移動自在である。
或いは又、座部（２）は、台車部（１５）に載置部（１６）が載置されてなる入浴用車椅子（５）において、前記載置部（１６）の臀部受け（１８）に設けられた前傾座部（６２）であり、台車部（１５）の前支持柱（２６）に臀部受け（１８）の前部（１８ａ）が前軸（６４）で軸支され、台車部（１５）の後支持柱（２７）に臀部受け（１８）の後部（１８ｂ）が後軸（２８）で軸支され、入浴者が移乗する時には、載置部（１６）を前記前軸（６４）を中心に前傾方向に回動させ、後部（１８ｂ）を後支持柱（２７）から離間させ、載置部（１６）の足受け（１７）を水平に位置させ、入浴者は床（６５）から足受け（１７）に移り該足受け（１７）に立ってから前傾座部（６２）に腰を降ろし、又、入浴者が入浴用車椅子（５）から離れる時には腰を上げて水平に位置する足受け（１７）に立ってから床（６５）へ移る。
【発明の効果】
【０００６】
本発明は、左側又は右側から乗降する入浴用車椅子５において、入浴者が入浴用車椅子５に移乗し易い座部２が、入浴用車椅子５の左右方向に移動する座部２又は載置部１６の前方回動と同時に前傾する座部２である。この構成によれば、入浴用車椅子５へのセッティング及び移乗を行い易く、好都合である。
【０００７】
本発明は、入浴用車椅子５において、入浴者が入浴用車椅子５に移乗し易い座部２が、入浴用車椅子５の臀部受け１８に設けられる円形の座部２に、カバー２０を被せたカバー式座部３であり、前記カバー２０は低摩擦抵抗シートで作られており、カバー式座部３上で移動容易であって、カバー２０に座した入浴者が容易に移動できる。この構成は、円形の座部２にカバー２０を被せるだけであり、構成は簡素であり製作費を安価にでき、しかも、入浴者を容易に移動及び回動させることができ、介助者の、入浴者を車椅子に座らせる向きを容易に適正にでき、好都合である。
【０００８】
本発明に係る座部２は、入浴用車椅子５の臀部受け１８に左右方向に設けられるレール４６に、座部２の取付部分４７を載設して構成される引出式座部４５であり、該引出式座部４５は、左方向又は右方向に引き出した位置で錠止でき、又、元位置に押し込み収納した位置で錠止できる。
この構成によれば、引き出し様に引出式座部４５を幅方向に引き出せば、乗り易く、乗った後のセッティングも容易であり、介助者の、入浴者を車椅子に座らせたり立たせたりする介助労力が軽減でき、好都合である。
【０００９】
本発明に係る座部２は、入浴用車椅子５の臀部受け１８に設けられる縦軸部５３に、一端部が軸支され水平方向に振ることができる振り式座部５２であり、該振り式座部５２は、縦軸部５３を中心に左右方向へ振ることができると共に任意の位置で錠止できるから、水平な横方向に円弧状に座部２を振れば、乗り易く、乗った後のセッティングも容易であり、介助者の、入浴者を車椅子に座らせたり立たせたりする介助労力が軽減でき、好都合である。
【００１０】
本発明に係る座部２は、入浴用車椅子５の臀部受け１８に設けられる矩形の座部２に、無端ベルト５７を左右方向に可動に掛け回して構成されるベルト式座部５６であり、該ベルト式座部５６は左方向又は右方向へ回動できる。
この構成によれば、入浴者は無端ベルト５７に座った後、臀部を好適な位置へずらすことが容易にでき、乗った後のセッティングが容易であり、介助者の、入浴者を車椅子に座らせたり立たせたりする介助労力が軽減でき、好都合である。
【００１１】
本発明に係る座部２は、入浴用車椅子５の臀部受け１８に水平左右方向に設けられる溝体６０に、取付下部６１が溝体６０に嵌るスライド式座部５９であり、該スライド式座部５９は回動自在であり且つ左右方向へ移動自在であり、回転に加え座部２を横移動させることが出来る。
この構成によれば、入浴用車椅子５に座った入浴者の位置設定が容易であり、入浴者を入浴用車椅子５に座らせたり立たせたりする介助労力が軽減でき、好都合である。
【００１２】
本発明は、載置部１６の臀部受け１８に設けられる前傾座部６２であり、台車部１５に臀部受け１８の前部が前軸６４で軸支され、入浴者が移乗時に、載置部１６を前記前軸６４を中心に前傾方向に回動させると、前傾座部６２が前傾すると共に足受け１７が水平に位置しこの状態下で、入浴者は、足受け１７に立ってから前傾座部６２に腰を降ろし、又は、足受け１７に足を付けてから腰を上げて床６５へ降りる。
【００１３】
この構成によれば、乗降時に載置部１６を前傾回動させ、足受け１７を水平状態になし、入浴者は足受け１７に立ってから前傾座部６２に座り、或いは、入浴者は足受け１７に立ってから床６５へ降りるので、容易に前傾座部６２へ座ることができ、或いは、容易に前傾座部６２から離れることができ、入浴者を車椅子に移乗・離間させたりする介助労力が軽減でき、好都合である。
【発明を実施するための最良の形態】
【００１４】
本発明の入浴用車椅子５に入浴者を乗せ、入浴装置４に合体し、入浴を行なう。
入浴者は左側又は右側から入浴用車椅子５に乗降する。座部２は、入浴用車椅子５の臀部受け１８に設けられる。
座部２を、臀部受け１８の左右方向に移動する座部２としたものでは、座部２を左又は右方向に移動させておいて、入浴者が座わるので、入浴用車椅子５への移乗及びセッティングを行い易く、好都合である。
【００１５】
或いは、座部２を、入浴用車椅子５の載置部１６の前方回動と同時に前傾する座部２としたものでは、足受け１７に一旦立ってから座部２に腰を当て座り、又は足受け１７に足を置いてから座部２から腰を上げ移乗を行なうので、入浴用車椅子５への移乗及びセッティングを行い易く、好都合である。
【００１６】
入浴用車椅子５の臀部受け１８に設けられ、入浴者が座わる円形の座部２に、カバー式座部３のカバー２０が被せられる。カバー２０は、低摩擦抵抗シートでなりこれに腰掛けた入浴者と共に座部２上を低摩擦抵抗で移動及び回動する。
【００１７】
レール４６は、入浴用車椅子５の臀部受け１８に左右方向に設けられる。
引出式座部４５は、レール４６に座部２の取付部分４７を載設して構成される。
該引出式座部４５は、左方向又は右方向に引き出した位置で錠止でき、又、元位置に押し込み収納した位置で錠止できる。
【００１８】
入浴用車椅子５の臀部受け１８に設けられる縦軸部５３は、振り式座部５２の一端を軸支する。振り式座部５２は、縦軸部５３を中心に入浴用車椅子５の左側又は右側へ水平方向に振ることができると共に任意の位置で錠止できる。
【００１９】
入浴用車椅子５の臀部受け１８に設けられる矩形の座部２は、該座部２に左右方向に可動に掛け回された無端ベルト５７を支持する。
ベルト式座部５６の無端ベルト５７は、入浴者と共に入浴用車椅子５の左方向又は右方向へ、座部２に対して低摩擦抵抗で回動できる。
【００２０】
溝体６０は、入浴用車椅子５の臀部受け１８にあって、長手方向を入浴用車椅子５の左右方向に向けて設け且つ水平に設けらる。
スライド式座部５９の下部は溝体６０に嵌め込まれ支持されており、該スライド式座部５９は回動自在であり入浴用車椅子５の左右方向へ移動自在である。
【００２１】
前傾座部６２は、載置部１６の臀部受け１８に載設された前傾座部６２であり、通常は水平にあるが、入浴者を移乗させる時には介助者が前傾させる。即ち、入浴者を移乗させる時に介助者が台車部１５に対して載置部１６を前軸６４を中心に前傾回動させ、該前傾座部６２の上面を前傾させる。
【００２２】
前傾座部６２が前傾すると、足受け１７は水平に位置し、この状態下で、入浴用車椅子５に乗ろうとする入浴者は、先ず、足受け１７に立ち、次に、前傾座部６２に腰を当て、介助者が入浴用車椅子５を元に戻し前傾座部６２を水平にし、入浴者は前傾座部６２に腰を降ろす。
【００２３】
入浴用車椅子５から降りる際は、入浴者は足受け１７に足を付け、介助者が載置部１６を前傾回動させ、入浴者は水平に位置する足受けに足を置いた後腰を上げて起立し、入浴用車椅子５から床６５へ降りる。
【実施例１】
【００２４】
図１、２、３、４に本発明に係る座部付入浴用車椅子１の実施例１を示している。
実施例１は、座部付入浴用車椅子１に係る座部２をカバー式座部３としたものである。
入浴装置４は、入浴用車椅子５と、内部に貯湯槽６等が設けられた本体部７と、入浴用車椅子５の両側を塞ぎ入浴用車椅子５を浴槽４２になすサイドカバー８とでなる。
【００２５】
本体部７の正面には表示器９とランプ１０が設けられ、本体部７の内部から外部前方に向かって左・右サイドカバー８ａ・８ｂが設けられる。
本体部７の下位部分から前方に向かって案内路１１が設けられ、案内路１１の基部分に入浴用車椅子５の存在を検出する車椅子位置検出スイッチ１２が設けられる。前記案内路１１は床６５に接して設けられる。
本体部７の内部に、空気を圧縮する空気圧縮機１４が設けられる。
【００２６】
入浴用車椅子５は、床面を走行できる台車部１５と、台車部１５に支持される載置部１６とからなる。
載置部１６は、足受け１７と、臀部受け１８と、上体受け１９と、枕６６とからなる。
臀部受け１８にはカバー式座部３が設けられ、該カバー式座部３は、臀部受け１８に載設される円形の座部２と、座部２に被せられる低摩擦抵抗シートでなるカバー２０とから構成される。
尚、座部２の上面を低摩擦抵抗に形成し、カバー２０を通常摩擦抵抗シートで作ってもよい。
【００２７】
前記カバー２０は、カバー式座部３上で回動容易及び限られた短距離間を移動容易であって、カバー２０に座した入浴者が容易に回動及び移動できる。
上体受け１９の、裏部にハンドル２１が設けられ、表部に手摺り２２が設けられる。足受け１７の前端には前側手摺り２３が設けられる。
載置部１６の両側壁６７は平坦に形成され、入浴時にはサイドカバー８が密着される。
【００２８】
台車部１５は、フレーム２４と、フレーム２４に取着されるキャスター２５と、フレーム２４に立設され載置部１６を支持する前・後支持柱２６・２７と、後支持柱２７に設けられ載置部１６を軸止めする後軸２８とからなる。
前記フレーム２４には前記案内路１１に案内されるガイドローラー２９が垂下取着される。
フレーム２４と上体受け１９の裏部とに、伸縮体３０が掛け渡されて軸支される。
【００２９】
載置部１６を後傾回動させる時は、伸縮体３０を収縮させ、後傾姿勢を保持する時は収縮状態にロックしておく。元の姿勢に戻す時は、レバー３１を操作してロックを解除し、伸縮体３０を伸長させ、載置部１６を前方回動させる。
キャスター２５には、ロック用のペダル３２とリンク３３が設けられる。
【００３０】
左・右サイドカバー８ａ・８ｂは、本体部７の内部の回動軸３４で軸支される。左・右サイドカバー８ａ・８ｂの各内壁６９には前記シール材１３（＝具体例では可撓チューブ）が設けられ、シール材１３に前記空気圧縮機１４で作る圧縮空気が注入される。
【００３１】
左・右サイドカバー８ａ・８ｂの間に入浴用車椅子５を進入させ、入浴用車椅子５の左右側面に左・右サイドカバー８ａ・８ｂの各シール材１３をそれぞれ水密状に密着させる。
【００３２】
左・右サイドカバー８ａ・８ｂの各内側の基方部分（本体部７に近い部分）には左・右サイドカバー８ａ・８ｂの間に進入する入浴用車椅子５を所定位置で固定する固定機構３５が設けられる。固定機構３５は、任意に鉤止め・解除できる適宜な回動鉤具でなる。
左・右サイドカバー８ａ・８ｂには肩掛けシャワー３９、ハンドシャワー４０、操作部６８が設けられる。左サイドカバー８ａの上面にはスイッチ部４１が設けられる。
【００３３】
実施例１を使用する際、先ず、入浴者を入浴用車椅子５に乗せる。詳しくは、入浴者をカバー２０に腰掛けさせる。腰掛けた後、入浴者を適正な方向へ向ける。カバー式座部３のカバー２０は低摩擦抵抗で回動できるので、入浴者はカバー２０と共に容易に回動できる。
【００３４】
入浴用車椅子５の載置部１６を後軸２８を中心に後傾回動させ、この後傾姿勢をロックした後、入浴用車椅子５を、左・右サイドカバー８ａ・８ｂの間に進入させ、固定機構３５で固定する。キャスター２５のロックも掛け入浴用車椅子５を移動不自在にする。
次に、シール材１３に圧縮空気を注入し膨張させる。入浴用車椅子５と、左・右サイドカバー８ａ・８ｂとの水密を図り、入浴用車椅子５と左・右サイドカバー８ａ・８ｂとで浴槽４２を形成する。
【００３５】
上記浴槽４２に、貯湯槽６の湯を供給し、入浴を行なう。入浴後は足側排水口４３及び臀部側排水口４４から湯を排水し、シール材１３から空気を抜き、シール作用を解除し、入浴用車椅子５をサイドカバー８の間から抜き出し、載置部１６を後傾姿勢から元姿勢に戻し、入浴を終わる。
【実施例２】
【００３６】
図５、６に示す実施例２は、実施例１のカバー式座部３を、引出式座部４５に代えたものである。引出式座部４５は、入浴用車椅子５の臀部受け１８に左右方向に設けられるレール４６に座部２の取付部分４７を載設して構成される。
【００３７】
引出式座部４５には、錠止機構４８が設けられており、錠止ノブ４９を押せばブレーキが解除され、錠止ノブ４９を放せばブレーキが掛かり引出式座部４５は錠止される。左方向又は右方向に引き出した位置で錠止し、又、元位置に押し込み収納した位置で錠止する。
図５中、５０はロック片、５１はロックリンク、７０は取っ手である。
【実施例３】
【００３８】
図７、８に示す実施例３は、実施例１のカバー式座部３を、振り式座部５２に代えたものである。振り式座部５２は、入浴用車椅子５の臀部受け１８に設けられる縦軸部５３と、該縦軸部５３に一端部が軸支され水平方向に移動できる座部２とで構成される。
【００３９】
前記振り式座部５２には、臀部受け１８と振り式座部５２との間に振り止め機構５４が設けられる。振り止めノブ５５を押しながら振り式座部５２を、縦軸部５３を中心に左右方向へ振り、任意の位置で振り止めノブ５５を放し、その位置で該振り式座部５２を錠止する。
図７中、７５は転動自在な球である。
【実施例４】
【００４０】
図９、１０に示す実施例４は、実施例１のカバー式座部３を、ベルト式座部５６に代えたものである。ベルト式座部５６は、入浴用車椅子５の臀部受け１８に設けられ上面を平坦面とする矩形の座部に、無端ベルト５７を左右方向に可動に掛け回して構成される。座部２の左右端部には回動自在な長ローラー５８が設けられ、及び、座部２の上面は低摩擦抵抗に形成され、これらの構成は無端ベルト５７の左右方向への移動を容易にする。
図９中、７１はロック機構、７２はロックハンドル、７３はバネである。
【実施例５】
【００４１】
図１１、１２に示す実施例５は、実施例１のカバー式座部３を、スライド式座部５９に代えたものである。スライド式座部５９は、入浴用車椅子５の臀部受け１８に水平左右方向に設けられる溝体６０と、取付下部６１が溝体６０に嵌る円形の座部とで構成される。
スライド式座部５９は、回動自在であり且つ左右方向へ移動自在である。
【００４２】
入浴者を入浴用車椅子５に移乗させる時は、スライド式座部５９を、入浴用車椅子５の左側又は右側へ移動させておいて入浴者がこれに腰掛け、その後入浴用車椅子５の幅方向の中心部へ押し戻し、戻した後入浴者の向きを好適に直す。
【実施例６】
【００４３】
図１３に示す実施例６は、実施例１のカバー式座部３を、前傾座部６２に代え、載置部１６を前傾載置部６３に代えたものである。
実施例６の入浴用車椅子５は、台車部１５に立設される前支持柱２６に臀部受け１８の前部１８ａが前軸６４で軸支され、台車部１５に立設される後支持柱２７に臀部受け１８の後部１８ｂが後軸２８で軸支される。
【００４４】
載置部１６を、前傾方向に回動させることができ、又、後傾方向に回動させることができる。
介助者がハンドル２１を持ち上げ、載置部１６を前支持柱２６を中心に前傾方向に前軸６４を中心に回動させると、前記後部１８ｂが後支持柱２７から浮上離間し、前傾座部６２が前傾すると共に足受け１７が水平に位置する。
【００４５】
載置部１６を前傾姿勢にし、伸縮体３０の伸縮をロックし、前述の前傾姿勢を維持させる。前述の前傾状態下で、入浴者は足受け１７に立ち前傾座部６２に臀部を当てる。
次に、伸縮体３０のロックを解除し、載置部１６を前傾姿勢から元姿勢に戻す。同時に、入浴者は前傾座部６２に腰掛ける。これらの動作で入浴者は入浴用車椅子５へ移乗を完了する。
【００４６】
入浴の直前に載置部１６を後傾回動させるが、この回動時、前軸６４は前支持柱２６から浮上離間し、後軸２８を中心にして載置部１６は後傾回動する。
入浴者が入浴用車椅子５から離れる時は、載置部１６を通常姿勢から前傾回動させ前傾姿勢にしておいて、入浴者は足受け１７に立ち、床面に降り、入浴用車椅子５から離れる。
図１３中、７４は軸ロック具である。
【産業上の利用可能性】
【００４７】
入浴用車椅子５の移動する座部２を簡素な構成にし、又は、入浴用車椅子５と同時に前傾する座部２に構成し、入浴者を入浴用車椅子５を用いて容易に入浴介助できる座部付入浴用車椅子１に適用できる。
【図面の簡単な説明】
【００４８】
【図１】本発明の実施例１の右側面図である。
【図２】本発明の実施例１の平面図である。
【図３】本発明の実施例１に係る入浴装置を示す左側面図である。
【図４】本発明の実施例１に係る入浴装置を示す平面図である。
【図５】本発明の実施例２の右側面図である。
【図６】本発明の実施例２の平面図である。
【図７】本発明の実施例３の右側面図である。
【図８】本発明の実施例３の平面図である。
【図９】本発明の実施例４の右側面図である。
【図１０】本発明の実施例４の平面図である。
【図１１】本発明の実施例５の右側面図である。
【図１２】本発明の実施例５の平面図である。
【図１３】本発明の実施例６の右側面図である。
【符号の説明】
【００４９】
２  座部
３  カバー式座部
５  入浴用車椅子
１５  台車部
１６  載置部
１７  足受け
１８  臀部受け
１８ａ前部
１８ｂ後部
２０  カバー
２６  前支持柱
２７  後支持柱
２８  後軸
４５  引出式座部
４６  レール
４７  取付部分
５２  振り式座部
５３  縦軸部
５６  ベルト式座部
５７  無端ベルト
５９  スライド式座部
６０  溝体
６１  取付下部
６２  前傾座部
６４  前軸
６５  床
【図１】
2005224325.tif 000003
【図２】
2005224325.tif 000004
【図３】
2005224325.tif 000005
【図４】
2005224325.tif 000006
【図５】
2005224325.tif 000007
【図６】
2005224325.tif 000008
【図７】
2005224325.tif 000009
【図８】
2005224325.tif 000010
【図９】
2005224325.tif 000011
【図１０】
2005224325.tif 000012
【図１１】
2005224325.tif 000013
【図１２】
2005224325.tif 000014
【図１３】
2005224325.tif 000015